(57)【要約】【課題】  簡便な構成で画像信号に発生するノイズを低減して安定した画像が得られる小型な撮像装置となり、挿入部の先端部の小型化を可能として挿入部を細径化できる電子内視鏡の提供。【解決手段】  撮像装置４０は、被検体像を検出する受光素子部４４ａを備えた固体撮像素子４４と、固体撮像素子４４の駆動回路を構成する電子部品４７，４８が実装され、段差が設けられた回路基板部４５，４６と、回路基板部４５，４６に設けられたケーブル接続ランドと接続される複数のケーブル５１，５２，５３，５４，５５と、を備え、複数のケーブル５１，５２，５３，５４，５５のうち、画像信号を伝送する画像ケーブル５１および同期信号を伝送する同期信号ケーブル５３は、段差により離間する回路基板部４５，４６の異なる表面に接続されている。【選択図】図４
2014210041.tif 000002
【特許請求の範囲】
【請求項１】
被検体像を検出する受光素子部を備えた固体撮像素子と、
前記固体撮像素子の駆動回路を構成する電子部品が実装され、段差が設けられた回路基板部と、
前記回路基板部に設けられたケーブル接続ランドと接続される複数のケーブルと、
を備え、
前記複数のケーブルのうち、画像信号を伝送する画像ケーブルおよび同期信号を伝送する同期信号ケーブルは、前記段差により離間する前記回路基板部の異なる表面に接続されていることを特徴とする撮像装置。
【請求項２】
前記回路基板部は、フレキシブルプリント基板上にリジッド基板が積層接続されて形成され、前記フレキシブルプリント基板の表面および前記リジット基板の表面によって高さ方向に離間する前記段差が形成され、
前記画像ケーブルおよび前記同期信号ケーブルは、前記回路基板部の前記高さ方向に互いが離間する位置に接続されていることを特徴とする請求項１に記載の撮像装置。
【請求項３】
前記画像ケーブルおよび前記同期信号ケーブルは、前記回路基板部の前記被検体像の撮影光軸に沿った長手方向に互いが離間する位置に接続されていることを特徴とする請求項１または請求項２に記載の撮像装置。
【請求項４】
前記画像ケーブルおよび前記同期信号ケーブルは、前記回路基板部の幅方向に離間する位置に接続されていることを特徴とする請求項１から請求項３のいずれか１項に記載の撮像装置。
【請求項５】
前記画像ケーブルおよび前記同期信号ケーブルは、前記回路基板部の前記被検体像の撮影光軸に沿った長手方向に直交する断面における対角方向に離間する位置に接続されていることを特徴とする請求項１から請求項４のいずれか１項に記載の撮像装置。
【請求項６】
前記リジッド基板、前記電子部品および前記複数のケーブルは、前記被検体像の撮影光軸に沿った固体撮像素子の投影面積内に収容されていることを特徴とする請求項１から請求項５のいずれか１項に記載の撮像装置。
【請求項７】
前記複数のケーブルのうち、電源ケーブルおよび／またはグランドケーブルが前記段差の前記高さ方向における下段側に接続されていることを特徴とする請求項２から請求項５のいずれか１項に記載の撮像装置。
【請求項８】
前記段差は、０．２ｍｍ〜４．００ｍｍの範囲内であることを特徴とする請求項１から請求項７のいずれか１項に記載の撮像装置。
【請求項９】
請求項１から請求項７のいずれか１項に記載の撮像装置が挿入部の先端部に設けられたことを特徴とする電子内視鏡。
【発明の詳細な説明】
【技術分野】
【０００１】
本発明は、撮像装置およびこの撮像装置が設けられた電子内視鏡に関する。
【背景技術】
【０００２】
周知の如く、内視鏡は、生体の体内（体腔内）における医療用の観察、処置など、または工業用のプラント設備内の検査、修理などのため広く用いられている。特に、医療用の内視鏡は、細長の挿入部を体腔内に挿入することにより、切開を必要とすることなく、体腔内の検査対象部位を観察でき、必要に応じ、処置具を用いて治療処置できるため広く用いられるようになった。
【０００３】
このような内視鏡には、例えば、特許文献１に開示されるような、挿入部の先端部に撮像装置が配設されている電子内視鏡がある。この従来の電子内視鏡の撮像装置は、回路基板に接続されるケーブルが回路基板の同一面上にそれぞれが近接して形成されたケーブル接続用ランドに半田付けされている。
【先行技術文献】
【特許文献】
【０００４】
【特許文献１】特開２００５−３０４８７６号公報
【発明の概要】
【発明が解決しようとする課題】
【０００５】
しかしながら、特許文献１の電子内視鏡のように、回路基板上に画像信号ケーブルと同期信号ケーブルを隣接して配置させると、同期信号ケーブルから生じる電磁波が画像信号ケーブルによって伝送される画像信号に干渉してノイズが生じてしまう恐れがある。画像信号にノイズが生じると、モニタに表示させる内視鏡画像が乱れたりして安定しなくなってしまうという問題がある。
【０００６】
なお、特許文献１に開示されるように、回路基板のケーブルランド上に中継部材を設けるなどして、各種信号ケーブルの接続部に高低差を設けたり、基板の表裏面にケーブル接続用ランドを設けたりすることで、ケーブル同士の距離を離すこともできるが、中継部材を取り付ける工程が増えることや、基板の表裏面にはんだ付けをする煩わしさが課題として残ってしまう。
【０００７】
さらに、回路基板に中継部材を設けることで、回路基板が大型となり、撮像装置の小型化に限界が生じてしまう。そのため、撮像装置が内蔵される電子内視鏡の挿入部の先端部の小型化にも限界があり、電子内視鏡の挿入部の細径化を阻害しているという問題があった。
【０００８】
そこで、本発明は、上記事情に鑑みてなされたものであり、その目的とするところは簡便な構成で画像信号に発生するノイズを低減して安定した画像が得られる小型な撮像装置となり、挿入部の先端部の小型化を可能として挿入部を細径化できる電子内視鏡を提供することを目的としている。
【課題を解決するための手段】
【０００９】
本発明の一態様の撮像装置は、被検体像を検出する受光素子部を備えた固体撮像素子と、前記固体撮像素子の駆動回路を構成する電子部品が実装され、段差が設けられた回路基板部と、前記回路基板部に設けられたケーブル接続ランドと接続される複数のケーブルと、を備え、前記複数のケーブルのうち、画像信号を伝送する画像ケーブルおよび同期信号を伝送する同期信号ケーブルは、前記段差により離間する前記回路基板部の異なる表面に接続されている。
【００１０】
本発明の一態様の内視鏡は、被検体像を検出する受光素子部を備えた固体撮像素子と、前記固体撮像素子の駆動回路を構成する電子部品が実装され、段差が設けられた回路基板部と、前記回路基板部に設けられたケーブル接続ランドと接続される複数のケーブルと、を備え、前記複数のケーブルのうち、画像信号を伝送する画像ケーブルおよび同期信号を伝送する同期信号ケーブルは、前記段差により離間する前記回路基板部の異なる表面に接続されている撮像装置が挿入部の先端部に設けられている。
【発明の効果】
【００１１】
本発明によれば、簡便な構成で画像信号に発生するノイズを低減して安定した画像が得られる小型な撮像装置となり、挿入部の先端部の小型化を可能として挿入部を細径化できる電子内視鏡を提供することができる。
【図面の簡単な説明】
【００１２】
【図１】本実施の形態の内視鏡を具備する内視鏡装置の外観を示す斜視図
【図２】同、先端部の内部構成を示す断面図
【図３】同、撮像装置を後方から見た平面図
【図４】同、図３のＩＶ−ＩＶ線に沿った撮像装置の構成を示す断面図
【図５】同、撮像装置の構成を示す上面図
【図６】同、変形例の撮像装置を後方から見た平面図
【図７】同、変形例の撮像装置の構成を示す側面図
【発明を実施するための形態】
【００１３】
以下、図面を参照して、本実施の形態の内視鏡先端構造を備える内視鏡について説明する。図１は、本実施形態を示す内視鏡を具備する内視鏡装置の外観を示す斜視図、図２は先端部の内部構成を示す断面図、図３は撮像装置を後方から見た平面図、図４は図３のＩＶ−ＩＶ線に沿った撮像装置の構成を示す断面図、図５は撮像装置の構成を示す上面図、図６は変形例の撮像装置を後方から見た平面図、図７は変形例の撮像装置の構成を示す側面図である。
【００１４】
なお、以下の説明において、実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。
【００１５】
図１に示すように、内視鏡装置１は、電子内視鏡（以下、単に内視鏡という）２および周辺装置３により主要部が構成されている。内視鏡２は、被検体内に挿入される挿入部４と、この挿入部４の基端側に接続された操作部５と、ユニバーサルコード６と、内視鏡コネクタ７とから主要部が構成されている。
【００１６】
周辺装置３は、光源装置９、ビデオプロセッサ１０、接続ケーブル１１、キーボード１２、モニタ１３などが架台８に載置されてシステムが構成されている。また、このような構成を有する内視鏡２および周辺装置３とは、内視鏡コネクタ７により互いに接続されている。
【００１７】
内視鏡２の操作部５には、湾曲操作ノブ１４と、内視鏡機能を操作するボタン類１５，１６と、処置具挿入口１７と、操作部材である回動自在な固定用レバー１８とが設けられている。なお、湾曲操作ノブ１４は、上下湾曲操作用ノブ２１と左右湾曲操作用ノブ２２とから構成されている。
【００１８】
内視鏡２の挿入部４は、先端側から順に、先端部３１と、この先端部３１の基端側に連設された動作部である複数方向に湾曲自在な湾曲部３２と、この湾曲部３２の基端側に連設された可撓管部３３と、により構成されている。
【００１９】
湾曲部３２は、操作部５に設けられた湾曲操作ノブ１４の２つ上下湾曲操作用ノブ２１と左右湾曲操作用ノブ２２による回動操作入力によって動作する。即ち、湾曲部３２は、湾曲操作ノブ１４の操作によって湾曲するものであり、挿入部４内に挿通された湾曲操作ワイヤ（不図示）の牽引弛緩に伴い、例えば上下左右の４方向に湾曲自在となっている。
【００２０】
内視鏡２のユニバーサルコード６の先端に設けられた内視鏡コネクタ７は、周辺装置３の光源装置９に接続されている。内視鏡コネクタ７には、図示しない各種口金や、各種電気接点が設けられているとともに、ビデオプロセッサ１０と接続ケーブル１１を介して電気的に接続されている。
【００２１】
内視鏡２には、光源装置９からの照明光を伝送するライトガイドバンドル（不図示）が配設され、このライトガイドバンドルによる照明光の出射端に照明レンズ(不図示)が配置されている。この照明レンズは、挿入部４の先端部３１に設けられており、照明光が被検体に向けて照射される。
【００２２】
なお、上述した内視鏡装置１の構成はあくまでも一例であり、上述の構成に限定されない。
【００２３】
次に、本実施の形態の内視鏡２の先端部３１の構成と、この先端部３１に配設される撮像装置の構成について以下に詳しく説明する。  
図２に示すように、内視鏡２の挿入部４の先端部３１内には、撮像装置４０が設けられ、この撮像装置４０を嵌合保持する略円柱状の先端部本体４１を備えている。この先端部本体４１の基端外周部には、先端部３１に撮像装置を収容する内部空間を形成する硬質管４２が嵌合されている。
【００２４】
撮像装置４０は、レンズユニット４３、固体撮像素子４４、ＦＰＣ（フレキシブルプリント基板）４５および回路基板としてのリジット基板４６を主に有している。なお、リジット基板４６およびＦＰＣ４５には、複数の各種ケーブル５１，５２，５３、電源ケーブル５４またはグランド（ＧＮＤ）ケーブル５５が接続されている（図３参照）。
【００２５】
レンズユニット４３は、対物光学系である複数の対物レンズ４３ａを保持するレンズホルダ４３ｂを備えており、このレンズホルダ４３ｂが先端部本体４１に挿嵌固定される。これにより、レンズユニット４３が先端部本体４１に固定される。
【００２６】
固体撮像素子４４は、ＣＣＤ、ＣＭＯＳなどであって、レンズユニット４３の複数の対物レンズによって集束された被検体像（図中の撮影光軸Ｏで示す撮影光）を検出する画素部としての受光素子部４４ａを備えている。そして、固体撮像素子４４は、受光素子部４４ａを覆うようにガラスリッド４９が貼着されている。
【００２７】
ガラスリッド４９は、前面がレンズユニット４３の最基端の対物レンズ４３ａと固着されている。即ち、レンズユニット４３と固体撮像素子４４は、ガラスリッド４９を介して固着されている。
【００２８】
固体撮像素子４４は、その表面下部の電極（不図示）に、ＦＰＣ４５のフライングリード（不図示）が電気的に接続され、封止樹脂４５ａにより封止されている。この封止樹脂４５ａは、ＦＰＣ４５の先端にて略９０°折り曲げられているフライングリードを覆い、封止している。
【００２９】
ＦＰＣ４５は、固体撮像素子４４から後方側に延設されている。このＦＰＣ４５の前方側の上部側の表面には、リジット基板４６が電気的および機械的に積層するように接続されている。
【００３０】
これらＦＰＣ４５およびリジット基板４６によって撮像装置４０の回路基板部５０が構成されている。なお、ＦＰＣ４５は、リジット基板４６の基端よりも、さらに後方へ延伸する長さを有している。
【００３１】
即ち、ＦＰＣ４５のベースフィルム、導体、カバーレイなどから構成された基材部の長手方向の寸法は、リジット基板４６の長手方向の寸法より長く構成されている。なお、ここでのＦＰＣ４５の長手方向は、撮影光軸Ｏに沿った方向である。
【００３２】
この後方へ延伸されたＦＰＣ４５の基材部の表面上には、複数のケーブル接続ランド（不図示）が形成されており、これら複数のケーブル接続ランドに同期信号ケーブル５３、電源ケーブル５４またはＧＮＤケーブル５５が接続されている。
【００３３】
即ち、ＦＰＣ４５は、リジット基板４６が積層された状態でリジット基板４６から後方へ露出する基材部上に複数のケーブル接続ランド（不図示）が設けられており、それらに同期信号ケーブル５３、電源ケーブル５４およびＧＮＤケーブル５５が半田付けされている。
【００３４】
リジット基板４６は、ガラスエポキシ基板、セラミック基板などから形成された基板である。このリジット基板４６の上面には、固体撮像素子を駆動するための回路を構成する、複数、ここでは２つの電子部品４７，４８が実装されている。
【００３５】
そして、リジット基板４６の後方の表面上には、複数のケーブル接続ランド（不図示）が形成されており、これら複数のケーブル接続ランド（不図示）に画像ケーブル５１およびその他の制御ケーブル５２が半田付けされて接続されている。
【００３６】
なお、リジット基板４６は、内部に電子部品が内蔵された部品内蔵基板を用いて、基板面積を縮小した小型な構成としてもよい。
【００３７】
このように、本実施の形態の撮像装置４０は、回路基板部５０を構成するＦＰＣ４５の上部側の基板表面とリジット基板４６の上部側の基板表面とに高低差を設けた段差が形成されている。
【００３８】
そして、ＦＰＣ４５の基板表面には、同期信号ケーブル５３、電源ケーブル５４およびＧＮＤケーブル５５が接続されており、リジット基板４６の基板表面には、画像ケーブル５１およびその他の制御ケーブル５２が接続されている。
【００３９】
これら画像ケーブル５１、その他の制御ケーブル５２、同期信号ケーブル５３、電源ケーブル５４およびＧＮＤケーブル５５は、先端部３１の基端部分から束ねられて外皮シースに覆われることで図示しない電気ケーブル束として挿入部４に挿通配置される。この電気ケーブル束は、図１に示した、操作部５およびユニバーサルコード６を介して、内視鏡コネクタ７まで延設される。
【００４０】
なお、撮像装置４０は、接続されるレンズユニット４３の基端部分から電気ケーブル束の先端部分までを覆うように熱収縮チューブが設けられていてもよい。この熱収縮チューブ内には、部品間の隙間を埋める封止樹脂を充填するとよい。さらに、先端部３１の内部空間を埋めるように、熱収縮チューブと硬質管４２との間にも封止樹脂を充填してもよい。
【００４１】
また、上述のライトガイドバンドル（不図示）は、光源装置９からの照明光を先端部に伝送する複数の光ファイバを束ねた構成となっており、外皮に被覆された状態で挿入部４の湾曲部３２および可撓管部３３に挿通配置され、図１に示した、操作部５およびユニバーサルコード６を介して、内視鏡コネクタ７まで延設されている。
【００４２】
次に、本実施形態の撮像装置４０における画像ケーブル５１、その他の制御ケーブル５２、同期信号ケーブル５３、電源ケーブル５４およびＧＮＤケーブル５５のリジット基板４６への接続構成について、以下に詳しく説明する。  
図３に示すように、対を成す画像信号ケーブル５１ａ，５１ｂからなる画像ケーブル５１および対を成す制御信号ケーブル５２ａ，５２ｂからなるその他の制御ケーブル５２は、リジット基板４６の幅方向に並設され、それらの外皮が剥ぎ取られたそれぞれのケーブル芯線６１，６２がリジット基板４６の表面上に設けられた複数のケーブル接続ランド(不図示)と半田付けにより接続される。
【００４３】
具体的には、撮像装置４０を後方から見たときに、図３に示すように、対を成す画像信号ケーブル５１ａ，５１ｂが右側となり、対を成す制御信号ケーブル５２ａ、５２ｂが左側となるように、回路基板部５０の上段側となるリジット基板４６の表面上で並設するように接続される。
【００４４】
同期信号ケーブル５３、電源ケーブル５４およびＧＮＤケーブル５５は、ＦＰＣ４５の幅方向に並設され、それらの外皮が剥ぎ取られたケーブル芯線６３，６４，６５が、回路基板部５０の下段側となるＦＰＣ４５の表面上に設けられた複数のケーブル接続ランド（不図示）と半田付けにより接続される。
【００４５】
即ち、画像ケーブル５１およびその他の制御ケーブル５２と、同期信号ケーブル５３、電源ケーブル５４およびＧＮＤケーブル５５とは、ＦＰＣ４５の表面およびリジット基板４６の表面による高低差となる回路基板部５０の高さ方向に所定の距離Ｈで離間するように接続される。
【００４６】
なお、画像ケーブル５１は、リジット基板４６の内方側となる中央寄りで接続される一方の画像信号ケーブル５１ａおよびリジット基板４６の外方側となる側部寄り（ここでは後方から見た右側）で接続される他方の画像信号ケーブル５１ｂの両方が同期信号ケーブル５３に対して、回路基板部５０の高さ方向に所定の距離Ｈで離間する位置で接続されている。
【００４７】
従って、画像ケーブル５１と同期信号ケーブル５３は、少なくとも回路基板部５０の高さ方向に所定の距離Ｈで離間する位置で接続されている。
【００４８】
これに加えて、画像ケーブル５１のうち、一方の上記画像信号ケーブル５１ａのケーブル芯線６１がケーブル接続ランドと接続された接続部Ａと、後方から見たＦＰＣ４５の左側で同期信号ケーブル５３のケーブル芯線６３がケーブル接続ランドと接続された接続部Ｂとが、回路基板部５０の幅方向に所定の距離Ｌ１で離間するように接続されている。
【００４９】
そのため、一方の上記画像信号ケーブル５１ａよりもリジット基板４６の側部（図３においては右側部）よりに位置する他方の上記画像信号ケーブル５１ｂも、同期信号ケーブル５３に対して、回路基板部５０の幅方向に所定の距離Ｌ１以上で離間する位置で接続されている。
【００５０】
従って、画像ケーブル５１と同期信号ケーブル５３は、回路基板部５０の幅方向に少なくとも所定の距離Ｌ１で離間する位置で接続されている。
【００５１】
なお、画像信号ケーブル５１ａの上記接続部Ａと同期信号ケーブル５３の上記接続部Ｂは、撮像装置４０の回路基板部５０を構成するＦＰＣ４５およびリジット基板４６の長手方向に直交する断面（短手方向の断面）における対角方向に所定の距離Ｌ２で離間している。なお、ここでの回路基板部５０の長手方向は、撮影光軸Ｏに沿った方向である。
【００５２】
そのため、一方の上記画像信号ケーブル５１ａよりもリジット基板４６の側部よりに位置する他方の上記画像信号ケーブル５１ｂも、同期信号ケーブル５３に対して、回路基板部５０の長手方向に直交する断面（短手方向の断面）における対角方向に所定の距離Ｌ２以上で離間する位置で接続されている。
【００５３】
従って、画像ケーブル５１と画像信号ケーブル５１ｂは、回路基板部５０の長手方向に直交する断面（短手方向の断面）における対角方向に少なくとも所定の距離Ｌ２で離間する位置で接続されている。
【００５４】
さらに、上記画像信号ケーブル５１ａの上記接続部Ａと、同期信号ケーブル５３の上記接続部Ｂとが、図４に示すように、回路基板部５０の側面視において長手方向に所定の距離Ｌ３で離間する位置で接続されている。
【００５５】
そのため、一方の上記画像信号ケーブル５１ａと幅方向に並設された他方の上記画像信号ケーブル５１ｂも、同期信号ケーブル５３に対して、回路基板部５０の側面視において長手方向に所定の距離Ｌ３以上で離間する位置で接続されている。
【００５６】
従って、画像ケーブル５１と画像信号ケーブル５１ｂは、回路基板部５０の側面視において長手方向に少なくとも所定の距離Ｌ３で離間する位置で接続されている。
【００５７】
なお、画像信号ケーブル５１ａの上記接続部Ａと同期信号ケーブル５３の上記接続部Ｂは、撮像装置４０の回路基板部５０を構成するＦＰＣ４５およびリジット基板４６の長手方向の断面における対角方向に所定の距離Ｌ４で離間している。
【００５８】
そのため、一方の上記画像信号ケーブル５１ａに並設された他方の上記画像信号ケーブル５１ｂも、同期信号ケーブル５３に対して、回路基板部５０の長手方向の断面における対角方向に所定の距離Ｌ４以上で離間する位置で接続されている。
【００５９】
従って、画像ケーブル５１と画像信号ケーブル５１ｂは、回路基板部５０の長手方向の断面における対角方向に少なくとも所定の距離Ｌ４で離間するように接続されている。
【００６０】
さらに、上記画像信号ケーブル５１ａの上記接続部Ａと、同期信号ケーブル５３の上記接続部Ｂとが、図５に示すように、回路基板部５０の上面視において所定の距離Ｌ５で離間する位置で接続されている。
【００６１】
そのため、一方の上記画像信号ケーブル５１ａと幅方向に並設された他方の上記画像信号ケーブル５１ｂも、同期信号ケーブル５３に対して、回路基板部５０の上面視において所定の距離Ｌ５以上で離間する位置で接続されている。
【００６２】
従って、画像ケーブル５１と画像信号ケーブル５１ｂは、回路基板部５０の上面視において少なくとも所定の距離Ｌ５で離間する位置で接続されている。
【００６３】
以上に説明したように、本実施の形態の撮像装置４０は、特に、同期信号ケーブル５３接続されるＦＰＣ４５の表面と画像ケーブル５１が接続されるリジット基板４６との表面とに所定の距離Ｈの段差を設け、この段差による高低差に加え、回路基板部５０の長手方向に側面視においては所定の距離Ｌ３で離間する位置、且つ上面視においては所定の距離Ｌ５で離間する位置に同期信号ケーブル５３と画像ケーブル５１を接続した構成となっている。
【００６４】
このように撮像装置４０は、画像ケーブル５１と同期信号ケーブル５３が空間的に離間して接続した構成としているため、同期信号ケーブル５３から画像ケーブル５１への電磁波の影響を抑制して、画像ケーブル５１で伝送する画像信号への電磁波の干渉によって生じるノイズを抑制することができる。これにより、モニタに表示する内視鏡画像に乱れが生じることなく安定したものとなる。
【００６５】
なお、撮像装置４０は、リジット基板４６の厚み、ＦＰＣ４５との接着層などによって高さ方向に所定の距離Ｈの段差を設けた構成を説明したが、その段差の高低差は０．２ｍｍ〜４．０ｍｍの範囲内であることが好ましく、固体撮像素子４４の高さ寸法と各種ケーブルの太さに応じて、この段差の大きさを選択することができる。
【００６６】
さらに、リジット基板４６、このリジット基板４６に実装する電子部品４７，４８、画像ケーブル５１、その他の制御ケーブル５２、同期信号ケーブル５３、電源ケーブル５４およびＧＮＤケーブル５５の各種ケーブルは、固体撮像素子４４の投影面積内に収まるように配置することで小型の撮像装置４０が実現できる。
【００６７】
即ち、撮像装置４０は、図３に示したように、リジット基板４６、このリジット基板４６の上面に実装される２つの電子部品４７，４８、ＦＰＣ４５またはリジット基板４６に接続される画像ケーブル５１、その他の制御ケーブル５２、同期信号ケーブル５３、電源ケーブル５４およびＧＮＤケーブル５５の各種ケーブルの全てが固体撮像素子４４の投影面積内に収まるように配置されている。このため、撮像装置４０の小型化が実現できる。
【００６８】
なお、撮像装置４０は、固体撮像素子４４の投影面積内にリジット基板４６、電子部品４７，４８および全ての各種ケーブルが収まり、且つＦＰＣ４５に設けられた下段側のケーブル接続ランドに接続される同期信号ケーブル５３、電源ケーブル５４およびＧＮＤケーブル５５がリジット基板４６に設けられた上段側のケーブル接続ランドに接続される画像ケーブル５１、およびその他の制御ケーブル５２に干渉しないような所定の距離Ｈを有するＦＰＣ４５の表面とリジット基板４６の表面による段差とすることが好ましい。
【００６９】
このような段差の高低差は、リジット基板４６の厚みによって、所定の距離Ｈを有した比較的に大きなものとして容易に得ることができる。そのため、比較的に太径の電源ケーブル５４、ＧＮＤケーブル５５などをＦＰＣ４５に設けられる下段側のケーブル接続ランドに接続することで、これら電源ケーブル５４およびＧＮＤケーブル５５が固体撮像素子４４の投影面積内からはみ出し難く、撮像装置４０の細径化が容易になる。
【００７０】
なお、各種ケーブルのうち、比較的に太径としては同軸ケーブルを用いたものとなるため、電源ケーブル５４またはＧＮＤケーブル５５に限らず、同軸ケーブルをＦＰＣ４５に設けられる下段側のケーブル接続ランドに接続して、固体撮像素子４４の投影面積内からはみ出し難くするとよい。
【００７１】
さらに、上述した撮像装置４０では、回路基板部５０の上段側に画像ケーブル５１を接続し、回路基板部５０の下段側に同期信号ケーブル５３を接続した構成としたが、画像ケーブル５１と同期信号ケーブル５３が空間的に離間していればよいため、画像ケーブル５１を下段側に、同期信号ケーブル５３を上段側に、それぞれが上述した所定の距離（Ｌ１〜Ｌ５）で離間した位置に接続する構成としてもよい。
【００７２】
以上の説明により、本実施の形態の撮像装置４０は、特に、リジット基板４６のケーブル接続ランド上に中継部材を設けたり、各種信号ケーブルの接続部に高低差を設けたり、ＦＰＣ４５またはリジット基板４６の表裏面にケーブル接続用ランドを設けたりすることなく、簡便な構成として、画像信号に発生するノイズを低減して安定した画像が得られる小型な構成とすることができる。このように、撮像装置４０が小型となるため、内視鏡２は、撮像装置４０を実装する挿入部４の先端部３１の小型化が可能となり、その結果、挿入部４を細径化できる。
【００７３】
（変形例）
なお、図６および図７に示すように、リジット基板４６の幅方向の寸法を小さくして、このリジット基板４６の側面からＦＰＣ４５に空いた領域を設け、この領域上に電子部品４９を実装したり、同期信号ケーブル５３を接続したりしてもよい。
【００７４】
この変形例においても、上述と同様に、画像ケーブル５１のうち、一方の上記画像信号ケーブル５１ａのケーブル芯線６１がケーブル接続ランドと接続された接続部Ａと、後方から見たＦＰＣ４５の左側で同期信号ケーブル５３のケーブル芯線６３がケーブル接続ランドと接続された接続部Ｂとが、図６に示すように、回路基板部５０の幅方向に所定の距離Ｌ６で離間するように接続されている。
【００７５】
そのため、一方の上記画像信号ケーブル５１ａよりもリジット基板４６の側部よりに位置する他方の上記画像信号ケーブル５１ｂも、同期信号ケーブル５３に対して、回路基板部５０の幅方向に所定の距離Ｌ６以上で離間する位置で接続されている。
【００７６】
従って、画像ケーブル５１と同期信号ケーブル５３は、回路基板部５０の幅方向に少なくとも所定の距離Ｌ６で離間する位置で接続されている。
【００７７】
さらに、画像信号ケーブル５１ａの上記接続部Ａと同期信号ケーブル５３の上記接続部Ｂは、回路基板部５０の長手方向に直交する断面における対角方向に所定の距離Ｌ７で離間している。
【００７８】
そのため、一方の上記画像信号ケーブル５１ａよりもリジット基板４６の側部よりに位置する他方の上記画像信号ケーブル５１ｂも、同期信号ケーブル５３に対して、回路基板部５０の長手方向に直交する断面における対角方向に所定の距離Ｌ７以上で離間する位置で接続されている。
【００７９】
従って、画像ケーブル５１と画像信号ケーブル５１ｂは、回路基板部５０の長手方向に直交する断面（短手方向の断面）における対角方向に少なくとも所定の距離Ｌ７で離間する位置で接続されている。
【００８０】
なお、回路基板部５０の長手方向においては、図７に示すように、画像信号ケーブル５１ａの上記接続部Ａと同期信号ケーブル５３の上記接続部Ｂが同位置に接続されており、回路基板部５０の高さ方向に所定の距離Ｌ８で離間している。
【００８１】
そのため、一方の上記画像信号ケーブル５１ａよりもリジット基板４６の側部よりに位置する他方の上記画像信号ケーブル５１ｂも、同期信号ケーブル５３に対して、回路基板部５０の高さ方向に所定の距離Ｌ８で離間する位置で接続されている。
【００８２】
従って、画像ケーブル５１と画像信号ケーブル５１ｂは、リジット基板４６の高さ方向に少なくとも所定の距離Ｌ８で離間する位置で接続されている。この所定の距離Ｌ８は、ＦＰＣ４５の表面およびリジット基板４６の表面による高低差となる撮像装置４０の高さ方向の所定の距離Ｈと略同じ（Ｌ８≒Ｈ）である。
【００８３】
このような構成としても、撮像装置４０は、画像ケーブル５１と同期信号ケーブル５３が空間的に離間して接続でき、上述の構成よりは効果が薄れるが、同期信号ケーブル５３から画像ケーブル５１への電磁波の影響を抑制して、画像ケーブル５１で伝送する画像信号への電磁波の干渉によって生じるノイズを抑制することができる。その結果、モニタに表示する内視鏡画像に乱れが生じることなく安定したものとなる。
【００８４】
上述の実施の形態に記載した発明は、その実施の形態および変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得るものである。
【００８５】
例えば、実施の形態に示される全構成要件から幾つかの構成要件が削除されても、述べられている課題が解決でき、述べられている効果が得られる場合には、この構成要件が削除された構成が発明として抽出され得るものである。
【符号の説明】
【００８６】
１…内視鏡装置
２…電子内視鏡
３…周辺装置
４…挿入部
５…操作部
６…ユニバーサルコード
７…内視鏡コネクタ
８…架台
９…光源装置
１０…ビデオプロセッサ
１１…接続ケーブル
１２…キーボード
１３…モニタ
１４…湾曲操作ノブ
１５，１６…ボタン類
１７…処置具挿入口
１８…固定用レバー
２１…上下湾曲操作用ノブ
２２…左右湾曲操作用ノブ
３１…先端部
３２…湾曲部
３３…可撓管部
４０…撮像装置
４１…先端部本体
４２…硬質管
４３…レンズユニット
４３ａ…対物レンズ
４３ｂ…レンズホルダ
４４…固体撮像素子
４４ａ…受光素子部
４５…フレキシブルプリント基板
４５ａ…封止樹脂
４６…リジット基板
４７，４８…電子部品
４９…ガラスリッド
５０…回路基板部
５１…画像ケーブル
５１ａ，５１ｂ…画像信号ケーブル
５２…制御ケーブル
５２ａ，５２ｂ…制御信号ケーブル
５３…同期信号ケーブル
５４…電源ケーブル
５５…グランドケーブル
６１，６２，６３，６４，６５…ケーブル芯線
Ｏ…撮影光軸
【図１】
2014210041.tif 000003
【図２】
2014210041.tif 000004
【図３】
2014210041.tif 000005
【図４】
2014210041.tif 000006
【図５】
2014210041.tif 000007
【図６】
2014210041.tif 000008
【図７】
2014210041.tif 000009